(57)【特許請求の範囲】
【請求項１】
文字多重放送を受信するシンセサイザ方式の受信回路と、
この受信回路により受信された文字データにしたがって文字の表示を行う表示素子と、
現在選局されている周波数で上記文字多重放送が行われているかどうかを判定する回路と、
所定の期間を測るタイマと、
スキャンキーとを有し、
上記スキャンキーを操作した場合には、
受信バンドを所定の周波数ステップでスキャンしていくとともに、
このスキャン時における各受信周波数ごとに、上記文字多重放送を受信できるかどうかの判定を、上記判定する回路により上記所定の期間にわたって実行し、
この所定の期間内に、上記文字多重放送を受信できたと上記判定する回路が判定したときには、その周波数で上記スキャンを停止するとともに、
このとき受信される上記文字データを上記表示素子に表示し、
上記スキャンが、上記受信バンドの最高周波数まで進んでも上記文字多重放送を受信できないときには、上記表示素子に上記文字多重放送を受信できなかったことを表示するとともに、
受信周波数を上記スキャンの開始前の周波数に復帰させる
ようにした文字多重放送受信機。
【発明の詳細な説明】
【０００１】
【産業上の利用分野】
この発明は、文字多重放送を受信する受信機に関する。
【０００２】
【従来の技術】
ＦＭ放送において、「ＦＭ文字多重放送」と呼ばれ、本来の音声放送の番組と一緒に、文字情報などのデータを多重化して送信することが実現化されている。そして、そのＦＭ文字多重放送を受信して、ＬＣＤ（液晶表示素子）などの表示素子に文字情報などを表示できるＦＭ受信機も市販されるに至っている。
【０００３】
このＦＭ文字多重放送は、移動受信が可能で、ＤＡＲＣ方式と呼ばれ、文字情報などのデジタルデータの多重化の規格は、副搬送周波数が76ｋHz、伝送レイトが16ｋビット／秒、変調方式がＬＭＳＫ、誤り訂正方式が（２７２，１９０）短縮化差集合巡回符号による積符号とされている。
【０００４】
そして、文字情報などの番組サービスとしては、レベル１、２、３の区別がある。これらは、いずれも、ドット表示により文字情報などを提示（表示）するものであるが、レベル１は、ヘッダ部を含んで15.5文字×2.5行の表示が可能な受信機に向けたサービスで、情報は文字である。また、レベル２は、ヘッダ部を含んで15.5文字×8.5行の表示が可能な受信機に向けたサービスで、情報は文字および図形である。さらに、レベル３は、ＣＤ−ＲＯＭなどにより詳細な地図を表示できる受信機、すなわち、ナビゲーションシステムに向けた交通情報のサービスである。
【０００５】
そして、レベル１の番組サービスとしては、ニュース、天気予報、交通情報、エンターテインメントおよび主な補完番組などが考えられている。この場合、エンターテインメントは、占い、リスナー伝言板、クイズ、タウン情報などを提供するものである。
【０００６】
また、主な補完番組は、例えば本来の音声放送番組が音楽番組であるときに、その曲名、演奏者名、リクエストのときの電話番号・ＦＡＸ番号などのような番組の補完情報を提供するものである。なお、以下においては、主な補完番組を「番組情報」または「番組連動」と称する。
【０００７】
さらに、上記以外の番組サービスとして、緊急の必要性があるときに随時提供される「緊急情報」も考えられている。
【０００８】
図４は、上記のＦＭ文字多重放送において多重化されるＬＭＳＫ信号のフレーム構成を示す。このＬＭＳＫ信号の１フレームは272ブロックで構成され、それぞれのブロックは288ビットとされている。
【０００９】
また、１フレームは、190個のデータパケットのブロックと、82個の縦方向のパリティパケットのブロックとに分けられ、縦方向のパリティパケットのブロックは分散されて送出される。
【００１０】
そして、各ブロックの先頭には、16ビットのＢＩＣ（ブロック識別符号）が付加される。ただし、ＢＩＣとしては４種類のものが用いられ、これにより各パリティパケットが区別されるとともに、フレームの先頭が識別される。
【００１１】
また、データパケットのブロックは、ＢＩＣに続いて176ビットのデータパケットを有し、そのあとに14ビットのＣＲＣ符号が付加され、これに続いて82ビットの横方向のパリティチェック符号を有する。
【００１２】
この場合、ＣＲＣ符号は、積符号による誤り訂正後の残留誤りを検出するために付加される。また、縦方向のパリティパケットのブロックは、ＢＩＣに続いて272ビットの縦方向のパリティパケットを有するものとされている。
【００１３】
さらに、各データパケットは、図５に示すように、32ビットのプリフィックスと、これに続く144ビットのデータブロックとから構成されている。
【００１４】
このプリフィックスは、図６に示すように、サービス識別符号、復号識別フラグ、情報終了フラグ、更新フラグ、番組番号、ページ番号、データリンク符号、およびデータパケット番号から構成されている。
【００１５】
また、サービス識別符号は、４ビットで、番組内容などを識別するものである。そして、レベル１に関しては、「１」が逐次受信処理用の一般情報、「２」が記録受信処理用の一般情報、「４」が交通情報、とされている。
【００１６】
この場合、逐次受信処理とは、受信機において番組データまたはページデータの最初のデータパケットが着信し次第、提示の復号処理を開始するモードであり、記録受信処理とは、番組データまたはページデータの全データを受信記録してデータグループごとのＣＲＣ符号による誤り訂正処理を行ったのちに初めて提示の復号処理を開始するモードである。
【００１７】
そして、送信側において受信側における提示のタイミングをとる必要がある番組や、データグループの最終パケットが得られてから復号処理を始めたのでは提示が間に合わないような番組のときには、逐次受信処理とされる。
【００１８】
また、復号識別フラグは、１ビットで、受信機の誤り訂正回路が横方向のみの復号によりデータを出力する場合には“１”とされ、横方向および縦方向の複合後にデータを出力する場合には“０”とされる。
【００１９】
そして、逐次受信処理で、復号識別フラグが“０”の場合には、受信機は、それぞれのデータパケットの先頭のＢＩＣを受信してから302パケット後のデータパケットの先頭のＢＩＣの時点で、それぞれのデータパケットについての提示のための復号処理を行うように、規定されている。
【００２０】
また、情報終了フラグは、１ビットで、あるデータグループ番号で送出するデータグループが終了する場合には“１”とされ、そうでない場合には“０”とされる。さらに、更新フラグは、２ビットで、データグループが更新されるごとに１ずつインクリメントされる。また、番組番号は８ビット、ページ番号は６ビットで、両者によりデータグループ番号が形成される。
【００２１】
さらに、データリンク符号は、２ビットで、１つのデータグループに属すべきデータを、パケット数がデータパケット番号の最大値を超えるような大容量のデータであるなどのために、最大で４つのデータグループに分割して、データリンク符号が異なる、同一のデータグループ番号により送信する場合に、各データグループの間で０→１→２→３の順にリンクさせる符号である。
【００２２】
なお、データリンク符号を除くデータパケット番号は、８ビットで、「０」から順に割り当てられる。
【００２３】
さらに、番組番号は０から255までとされ、その「０」には「総目次」が割り付けられ、主な補完番組（番組情報ないし番組連動）には「254」が、緊急情報には「255」が、それぞれ割り付けられている。
【００２４】
また、ページ番号は１から62までとされ、すなわち、１番組は最大62ページとされている。そして、１ページは、１データグループに相当し、１データグループは、１つまたは複数のデータブロックで構成される。
【００２５】
そして、レベル１においては、１ページは、一般には15.5文字×2.5行の表示書式とされるが、15.5文字×8.5行の表示書式とすることもできる。また、この場合の文字データは、ＪＩＳコードによって表示する文字を指定するものとされている。
【００２６】
このレベル１に対応する受信機は、上述したように、かつ、図７に示すように、例えばＬＣＤ１として、15.5文字×2.5行の表示が可能な表示画面１ａを有するものが用いられる。ただし、その表示画面１ａのうちの左下側の15文字×２行の部分１ｂが本文表示領域とされ、斜線を付した上側の0.5行および右側の0.5文字の部分１ｃはヘッダ文表示領域とされる。
【００２７】
そして、受信機は、ステレオコンポジット信号とともにＬＭＳＫ信号を受信し、そのＬＭＳＫ信号から上記の文字データをデコードして、バッファメモリに書き込むようにされる。
【００２８】
さらに、受信機またはこれを遠隔制御するリモコン送信機には、「総目次」キーが設けられ、これを操作することによって、受信機は、図８（Ａ）に示すように、表示画面１ａに、総目次（メインメニュー）を提示するようにされる。ただし、図８（Ａ）は、総目次が複数ページにわたり、または8.5行の表示書式とされ、そのうちの最初の１ページ、または最初の2.5行が表示された状態である。
【００２９】
また、受信機またはリモコン送信機には、さらに「ページ（画面）送り」キーが設けられ、これを操作することによって、図８（Ｂ）に示すように、表示画面１ａには、次のページ、または8.5行の表示書式とされたページの次の２行が表示されるようにされる。
【００３０】
そして、ユーザーが総目次の中から見ようとする項目の番号を選択決定すると、さらに、その選択決定された項目についての目次が提示されるようにされる。例えば、ユーザーが総目次の中から「３．天気予報」を選択した場合、図９に示すように、「１．今日の天気」、「２．明日の天気」というような目次が提示される。
【００３１】
さらに、ユーザーがその目次の中から見ようとする項目の番号を選択決定すると、その選択決定された項目についての最初のページが提示されるようにされる。例えば、ユーザーが上記の目次の中から「１．今日の天気」を選択した場合、図１０に示すように、「今日の天気」についての具体的な文字情報が提示される。
【００３２】
【発明が解決しようとする課題】
ところで、自動車などで移動する場合、その移動先におけるＦＭ局の周波数が分からないことがある。また、周波数がわかっても、すべてのＦＭ局で、文字多重放送を実施しているわけではない。さらに、文字多重放送を実施しているＦＭ局であっても、時間帯によっては、文字多重放送を休止していることがある。
【００３３】
したがって、文字放送を受信する場合には（文字放送を見る場合には）、
(1) ＦＭ局を選局する。
(2) しばらくの間、文字が表示されるかどうかを見ながら待つ。
(3) 文字が表示されなければ、(1)項に戻る。
という操作を繰り返さなければ、ならない。
【００３４】
しかし、(1)〜(3)項のような操作はめんどうである。まして、自動車の運転中に交通情報を知りたいようなときには、(1)〜(3)項のような操作をできないことがある。
【００３５】
この発明は、このような問題点を解決しようとするものである。
【００３６】
【課題を解決するための手段】
この発明においては、
文字多重放送を受信するシンセサイザ方式の受信回路と、
この受信回路により受信された文字データにしたがって文字の表示を行う表示素子と、
現在選局されている周波数で上記文字多重放送が行われているかどうかを判定する回路と、
所定の期間を測るタイマと、
スキャンキーとを有し、
上記スキャンキーを操作した場合には、
受信バンドを所定の周波数ステップでスキャンしていくとともに、
このスキャン時における各受信周波数ごとに、上記文字多重放送を受信できるかどうかの判定を、上記判定する回路により上記所定の期間にわたって実行し、
この所定の期間内に、上記文字多重放送を受信できたと上記判定する回路が判定したときには、その周波数で上記スキャンを停止するとともに、
このとき受信される上記文字データを上記表示素子に表示し、
上記スキャンが、上記受信バンドの最高周波数まで進んでも上記文字多重放送を受信できないときには、上記表示素子に上記文字多重放送を受信できなかったことを表示するとともに、
受信周波数を上記スキャンの開始前の周波数に復帰させる
ようにした文字多重放送受信機
とするものである。
【００３７】
【作用】
一度、キーを操作すると、受信バンドのスキャンが開始され、文字多重放送の実施局でスキャンが停止し、以後、その実施局の選局状態となる。
【００３８】
【実施例】
図１は、この発明を、車載用のＦＭ受信機に適用した場合の信号系の一例を示す。すなわち、アンテナ１１により受信されたＦＭ信号が、シンセサイザ方式のチューナ回路１２に供給されて目的とする周波数の放送局が選局されるとともに、そのＦＭ信号が中間周波信号に変換され、この中間周波信号が中間周波アンプ１３を通じてＦＭ復調回路１４に供給される。
【００３９】
こうして、復調回路１４からは、ステレオの左および右チャンネルのオーディオ信号Ｌ、Ｒの加算信号（Ｌ＋Ｒ）と、その差信号（Ｌ−Ｒ）により平衡変調されたＤＳＢ信号と、パイロット信号と、上述したＦＭ文字多重放送におけるＬＭＳＫ信号との周波数多重化信号が取り出される。
【００４０】
そして、この周波数多重化信号がステレオ復調回路１５に供給され、加算信号（Ｌ＋Ｒ）およびＤＳＢ信号からオーディオ信号Ｌ、Ｒが復調され、これら信号Ｌ、Ｒがアンプ１６Ｌ、１６Ｒを通じて左および右チャンネルのスピーカ１７Ｌ、１７Ｒに供給される。
【００４１】
さらに、このＦＭ受信機には、チューナ回路１２における選局およびＦＭ文字多重放送による文字の表示を実行するため、マイクロコンピュータ２０が設けられている。
【００４２】
すなわち、このマイクロコンピュータ２０は、プログラムを実行するためのＣＰＵ２１と、ＲＯＭ２２と、ワークエリア用のＲＡＭ２３と、ＦＭ文字多重放送のデータの受信バッファ用のＲＡＭ２４とを有する。この場合、ＲＯＭ２２には、各種のルーチンおよび所定の文字列（文章）を表示するためのデータが書き込まれているとともに、そのルーチンの一部として、例えば図３に示す選局ルーチン１００が設けられる。
【００４３】
そして、これらメモリ２２〜２４はシステムバス２９を通じてＣＰＵ２１に接続されるとともに、バス２９には、インターフェイス回路（ポート）２５〜２８が接続される。
【００４４】
そして、インターフェイス回路２５からチューナ回路１２に選局用のデータが供給され、その選局が実行される。また、復調回路１４からの復調信号が、デコーダ回路４１に供給されてＬＭＳＫ信号からＦＭ文字多重放送におけるデータがデコードされて取り出され、このデータがインターフェイス回路２６を通じてＲＡＭ２４に書き込まれ、ＲＡＭ２４のデータは、常に最新のデータで更新される。
【００４５】
また、インターフェイス回路２７には、ノンロックタイプのプッシュスイッチにより構成された各種の操作キー４２が接続され、そのキー出力がマイクロコンピュータ２０に取り込まれる。こうして、キー４２のうちの任意のキーを押すと、その押されたキーがＣＰＵ２１により判別され、その押されたキーに対応する処理が実行される。
【００４６】
ただし、ＦＭ受信機が車載用の場合には、その操作パネルは狭くて多数の操作キーを配置することはできないので、この例においては、キー４２は、操作頻度の高いキーおよび重要性の高いキーのみとされ、その他の操作はリモコン（遠隔操作）により行うようにされている。
【００４７】
このため、インターフェイス回路２７には、リモコンの受信回路４３も接続される。この例においては、そのリモコンは赤外線式とされているものであり、受信回路４３は、リモコンの送信機６０からの赤外線を受光する受光素子と、この受光素子からのリモコン信号をデコードするデコーダ回路とを有する。
【００４８】
また、リモコンの送信機６０にもノンロックタイプのプッシュスイッチにより構成された各種の操作キー６２（６２Ａ〜６２Ｎ）が設けられる。このキー６２の一部はキー４２と機能が重複するが、キー６２のうちの任意のキーを押すと、その押されたキーに対応するデータが形成され、これが赤外線に変換されてＦＭ受信機へと送信される。
【００４９】
そして、ＦＭ受信機においては、送信機６０から送信されてきた赤外線が受信回路４３により受信されてもとのデータが取り出され、このデータがインターフェイス回路２７に供給される。こうして、キー４２を押した場合と同様、キー６２を押した場合も、その押されたキーに対応する処理がマイクロコンピュータ２０により実行される。なお、以下においては、送信機６０のキー６２を使用した場合により、各部の動作を説明する。
【００５０】
また、インターフェイス回路２８からアンプ１６Ｌ、１６Ｒにミューティングの制御信号が供給される。
【００５１】
さらに、バス２９には、ＦＭ文字多重放送により送られてきた文字コードを表示データに変換するためのフォントデータを有するフォントＲＯＭ（キャラクタジェネレータ）３１が接続されるとともに、表示用のメモリ３２と、ディスプレイコントローラ３３とが接続され、このコントローラ３３に、表示素子として、例えばＬＣＤ５０が接続されている。
【００５２】
この場合、ＬＣＤ５０は、この例においては、上述したＬＣＤ１と同様に構成され、15.5文字×2.5行の表示能力を有するものとされている。そして、メモリ３２は、ＬＣＤ５０のドット表示方式に対応してビットマップ方式とされ、１画面分の容量を有する。
【００５３】
そして、ＲＡＭ２４に保持されている文字コードがＣＰＵ２１により読み出され、この読み出された文字コードが、ＲＯＭ３１のフォントデータを使用して表示データに変換され、この表示データが、メモリ３２に書き込まれる。また、このとき、コントローラ３３により、メモリ３２の表示データが繰り返し読み出されるとともに、表示信号に変換されてＬＣＤ５０に供給される。したがって、ＬＣＤ５０には、ＣＰＵ２１がＲＡＭ２４から読み出した文字コードの文字が表示される。
【００５４】
図２は、チューナ回路１２の一例を示す。このチューナ回路１２はシンセサイザ方式に構成されているもので、アンテナ１１からの受信信号が、電子同調方式のアンテナ同調回路１２１に供給されて目的とする周波数ｆRXの放送波信号ＳRXが取り出され、この信号ＳRXが、高周波アンプ１２２を通じてミキサ回路１２３に供給される。
【００５５】
また、ＶＣＯ８１から周波数ｆLOが、例えば、
ｆLO＝ｆRX−ｆIF〔ｋHz〕                               ・・・  (4)
ｆIFは中間周波数で、例えば、ｆIF＝10.7ＭHz
の発振信号ＳLOが取り出され、この信号ＳLOがミキサ回路１２３に局部発振信号として供給され、信号ＳRXは中間周波信号ＳIF（中間周波数ｆIF）に周波数変換される。そして、この中間周波信号ＳIFが、上記のように中間周波アンプ１３に供給される。
【００５６】
また、このとき、ＶＣＯ８１は、回路８２〜８５とともに、ＰＬＬ１２４を構成している。すなわち、ＶＣＯ８１からの信号ＳLOが、可変分周回路８２に供給されて１／Ｎの周波数に分周され、この分周信号が位相比較回路８３に供給されるとともに、発振回路８４から基準周波数、例えば周波数100ｋHzの発振信号が取り出され、この発振信号が比較回路８３に供給され、その比較出力がローパスフィルタ８５を通じてＶＣＯ８１にその制御電圧として供給される。また、フィルタ８５の出力電圧が、同調回路１２１に選局電圧として供給される。
【００５７】
したがって、定常状態においては、分周回路８２からの分周信号と、発振回路８４の発振信号とは周波数が等しいので、このときの発振信号ＳLOの周波数ｆLOは、
ｆLO＝Ｎ×0.1〔ＭHz〕                                  ・・・  (5)
となり、(4)、(5)式から
0003675515.tif 000002
となる。
【００５８】
したがって、分周比Ｎを、653〜793の間において「１」ずつ変化させれば、局部発振周波数ｆLOが、65.3ＭHz〜79.3ＭHzの間を100ｋHzの周波数ステップで変化するので、受信周波数ｆRXは、ＦＭ放送波帯、すなわち、76ＭHz〜90ＭHzの周波数帯を100ｋHzの周波数ステップで、かつ、分周比Ｎに対応して変化することになる。
【００５９】
このような構成において、キー６２（あるいは４２）のうちのスキャンキー６２Ａを押すと、ルーチン１００が実行され、文字多重放送を実施中のＦＭ局が自動的に選局される。
【００６０】
すなわち、スキャンキー６２Ａを押すと、ＣＰＵ２１の処理がルーチン１００のステップ１０１からスタートし、次にステップ１０２において、分周回路８２における現在の分周比Ｎが、ＲＡＭ２３に退避され、その後、ステップ１０３において、インターフェイス回路２８を通じてアンプ１６Ｌ、１６Ｒのミューティングがオンとされ、続いて、ステップ１０４において、分周比Ｎが最小値653とされる。
【００６１】
次にステップ１１１において、分周比Ｎ（今の場合、Ｎ＝653）が、インターフェイス回路２５を通じて分周回路８３にセットされ、チューナ回路１２は、分周比Ｎに対応した周波数ｆRX（今の場合、最低周波数76ＭHz）の選局状態とされる。
【００６２】
続いて、処理はステップ１１２に進み、このステップ１１２において、受信したＦＭ局が文字多重放送を行っているかどうかの判定期間を規定するタイマがセットされ、次に、ステップ１１３において、現在選局されている周波数ｆRXで、文字多重放送が行われているかどうかが判定される。この判定は、例えば、フレームにおける横方向の誤り訂正の結果と、データパケットにおけるＣＲＣの結果とが、ともに正常と認められるパケットを受信できるかどうかにより、行われる。
【００６３】
そして、文字多重放送が行われていないと判定されたときには、処理はステップ１１３からステップ１１４に進み、このステップ１１４において、ステップ１１２にセットされたタイマが所定の時間、例えば10秒を越えたかどうかがチェックされ、越えていないときには、処理はステップ１１４からステップ１１３に戻る。
【００６４】
したがって、ステップ１１３、１１４により、例えば10秒の間、現在、選局している周波数ｆRXで、文字多重放送が行われているかどうかが判定されることになる。
【００６５】
そして、10秒たっても、文字多重放送が行われていないと判定されたときには、ステップ１１２でセットされたタイマがタイムオーバーとなるが、すると、処理は、ステップ１１４からステップ１１５に進み、このステップ１１５において、現在の分周比Ｎが最大値であるかどうかがチェックされ、すなわち、現在の受信周波数ｆRXが受信バンドの最高周波数であるかどうかがチェックされる。
【００６６】
そして、分周比Ｎが最大値に達していないときには、処理はステップ１１５からステップ１１６に進み、このステップ１１６において、分周比Ｎが「１」だけインクリメントされ、その後、処理はステップ１１１に戻る。
【００６７】
したがって、以後、ステップ１１１〜１１６が繰り返され、チューナ回路１２の選局周波数ｆRXは、分周比Ｎに対応して100ｋHzずつ高くなっていく。すなわち、受信バンドに対して、最低周波数からスキャンが行われていく。
【００６８】
そして、ある受信周波数ｆRXのとき、文字多重放送が受信されると、これがステップ１１３において検出され、処理はステップ１１３からステップ１２１に進み、このステップ１２１において、アンプ１６Ｌ、１６Ｒのミューティングがオフとされ、その後、ステップ１２２において、このルーチン１００を終了する。
【００６９】
したがって、以後、ステップ１１３で文字多重放送であることを判定したＦＭ局の選局状態が続くので、ＬＣＤ５０には、そのＦＭ局による文字多重放送の番組が表示される。
【００７０】
なお、受信バンドの最高周波数までスキャンが進んでも、文字多重放送を受信できないときには、このとき、分周比Ｎが最大値793になっているとともに、これがステップ１１５において検出される。
【００７１】
そして、処理はステップ１１５からステップ１３１に進み、このステップ１３１において、ＲＯＭ２２に用意されている文字列の文字コードがＲＯＭ３１のフォントデータにより表示データに変換され、この表示データがメモリ３２に供給され、この結果、ＬＣＤ５０には、例えば、「文字放送はありません」の文字列が表示される。
【００７２】
続いてステップ１３２において、ステップ１０２によりＲＡＭ２３に退避した分周比Ｎが分周回路８２にセットされて、このルーチン１００がスタートしたとき、すなわち、スキャンキー６２Ａを押したときに受信していたＦＭ局が選局され、その後、ステップ１３３において、アンプ１６Ｌ、１６Ｒのミューティングがオフとされてから、ステップ１３４において、このルーチン１００を終了する。
【００７３】
こうして、このＦＭ受信機によれば、スキャンキー６２Ａを押すと、文字多重放送を実施しているＦＭ局を自動的にサーチして選局する。したがって、自動車で移動した場合に、その移動先におけるＦＭ局の周波数が分からなくても、あるいは、すべてのＦＭ局で、文字多重放送を実施しなくても、さらには、時間帯によって、文字多重放送を休止していることがあっても、文字多重放送が行われていれば、その放送を見ることができる。しかも、そのために、めんどうな操作が不要である。
【００７４】
【発明の効果】
この発明によれば、所定のキーを操作すると、文字多重放送を実施しているＦＭ局を自動的にサーチして選局する。したがって、自動車で移動した場合に、その移動先におけるＦＭ局の周波数が分からなくても、文字多重放送が行われていれば、その文字放送を見ることができる。しかも、そのために、めんどうな操作が不要である。
【図面の簡単な説明】
【図１】この発明の一例を示す系統図である。
【図２】この発明の一部の一例を示す系統図である。
【図３】この発明の一例を示すフローチャートである。
【図４】信号フォーマットを説明するための図である。
【図５】信号フォーマットを説明するための図である。
【図６】信号フォーマットを説明するための図である。
【図７】表示画面を説明するための図である。
【図８】表示画面を説明するための図である。
【図９】表示画面を説明するための図である。
【図１０】表示画面を説明するための図である。
【符号の説明】
１２  チューナ回路
１３  中間周波アンプ
１４  ＦＭ復調回路
１５  ステレオ復調回路
２０  マイクロコンピュータ
２１  ＣＰＵ
２２  ＲＯＭ
２３  ＲＡＭ（ワークエリア用）
２４  ＲＡＭ（受信バッファ用）
３１  フォントＲＯＭ（キャラクタジェネレータ）
３２  メモリ（表示用）
３３  ディスプレイコントローラ
４１  デコーダ回路
４２  操作キー
４３  受信回路（リモコン用）
４４  形成回路（ビープ音信号用）
５０  表示素子
６０  送信機（リモコン用）
６２  操作キー
１００  選局ルーチン
【図１】
0003675515.tif 000003
【図２】
0003675515.tif 000004
【図３】
0003675515.tif 000005
【図４】
0003675515.tif 000006
【図５】
0003675515.tif 000007
【図６】
0003675515.tif 000008
【図７】
0003675515.tif 000009
【図８】
0003675515.tif 000010
【図９】
0003675515.tif 000011
【図１０】
0003675515.tif 000012